(57)【要約】【課題】  ボタンホールにボタンを通すことが苦手なお年寄りや幼児がこれを容易に行なうことのできるボタン簡易取付け型ボタンホールの構造を提供する。【解決手段】  一方向に形成されたスリット状のボタンホール１０の構造において、当該ボタンホール１０の長手方向所定位置に当該ボタンホール１０と交差する方向に、メインボタンホール１１にボタン２５を挿入するのを補助する補助用ボタンホール１２をボタンホールと一体に形成して、ボタンホール１０にボタン２５を通し易くしている。【選択図】  図１
0003103824.tif 000002
【実用新案登録請求の範囲】
【請求項１】
一方向に形成されたスリット状のボタンホールの構造において、
当該ボタンホールの長手方向所定位置において当該ボタンホールと交差する方向に、当該ボタンホールにボタンを挿入するのを補助する補助用ボタンホールを前記ボタンホールと一体に形成したことを特徴とするボタン簡易取付け型ボタンホールの構造。
【考案の詳細な説明】
【技術分野】
【０００１】
本考案は、衣服に備わったボタンホールの構造、特に介護を必要とする者が自らボタンを付けるのに適したボタンホールの構造に関する。
【背景技術】
【０００２】
通常、衣服に備わったボタンホールはボタンの直径にボタンの厚みを加えた程度の長さを有する一方向に形成されただけのスリットの形態を有している。この様なボタンホールが例えばシャツの見返し部分や袖口並びに襟に形成されている。そして、このようなボタンホールにかがり糸をかがる装置も知られている（例えば、特許文献１参照）。
【０００３】
【特許文献１】特開１１−３３３１６４（３−６頁、図１４）
【考案の開示】
【考案が解決しようとする課題】
【０００４】
例えばこのようなシャツをクリーニングに出すと、洗濯した後にシャツ全体を糊付けしてアイロンがけするのが一般的である。従って、上述したボタンホールの部分も糊付けされた状態でアイロンがけされる。そのため、ボタンホール及びボタンホール周辺が糊の硬化によって硬くなってしまい、ボタンホールが開き難くなってしまう。
【０００５】
この様なシャツを指先の細かい作業が苦手なお年寄りや指先の不自由な人が着てボタン付けをしようとする際に、ボタンホールが開き難いが故にボタンをボタンホールに通し難い問題がある。
【０００６】
また、ボタン付けに慣れていない幼児もボタンホールにボタンを通すことができず、ボタン付けに慣れることができない。
【０００７】
本考案の目的は、ボタンホールにボタンを通すことが苦手なお年寄りや幼児がこれを容易に行なうことのできるボタン簡易取付け型ボタンホールの構造を提供することにある。
【課題を解決するための手段】
【０００８】
上述した課題を解決するために、本考案にかかるボタン簡易取付け型ボタンホールの構造は、
一方向に形成されたスリット状のボタンホールの構造において、
当該ボタンホールの長手方向所定位置において当該ボタンホールと交差する方向に、当該ボタンホールにボタンを挿入するのを補助する補助用ボタンホールを前記ボタンホールと一体に形成したことを特徴としている。
【０００９】
補助用ボタンホールを設けたので、糊付けによって開き難くなっていたボタンホールをこの補助用ボタンホールがボタン挿入の際に押し広げる役目を果たし、指先の細かい作業が苦手なお年寄りやボタン付けに慣れていない幼児などもボタンをボタンホールに容易く挿入することができる。
【考案の効果】
【００１０】
本考案にかかるボタン簡易取付け型ボタンホールの構造によると、指先の細かい作業が苦手なお年寄りや指先の不自由な人もクリーニングされたきれいなシャツをすぐに着ることができる。また、ボタン付けに慣れていない幼児のボタン付けの練習にも適している。
【考案を実施するための最良の形態】
【００１１】
以下、本考案にかかるボタン簡易取付け型ボタンホールの構造について説明する。
【００１２】
本考案にかかるボタン簡易取付け型ボタンホール１の構造は、図１に示すようにシャツの前あき２１に所定の間隔で設けられており、この前あき２１の延在方向と同一の方向に形成されたメインボタンホール１１と、このメインボタンホール１１の長手方向ほぼ中央部においてメインボタンホール１１と直交する方向に設けられた補助用ボタンホール１２とを有している。メインボタンホール１１の長さは通常のボタンホールと同様にこれを通るボタン２５の直径と厚みを足した程度の長さである。また、補助用ボタンホール１２は、メインボタンホール１１に対して本実施形態の場合、両側に垂直に形成され、その補助用ボタンホール１２の長さはボタン２５の厚みの２倍程度の長さである。
【００１３】
そして、このようなメインボタンホール１１と補助用ボタンホール１２とで形成されたボタンホール１０の周囲を従来のボタンホールと同様にボタンホールに適したかがり糸１５を用いて一筆書きの要領でかがってある。
【００１４】
本考案にかかるボタン簡易取付け型ボタンホール１はこのような構成を有しているので、シャツ２０をクリーニングに出して糊付けされた後にアイロンがけされて硬くなっても、ボタン２５の周縁をこのボタンホール１０のメインボタンホール１１に押し込むことによって、補助用ボタンホール１２が拡がって糊付けされたメインボタンホール１１が開くのを助ける。これによって、メインボタンホールのみから構成された従来のボタンホールのように糊付けされることでボタンホール１０が開き難くなるということが無くなる。
【００１５】
従って、指先の細かい作業が苦手なお年寄りや指先の不自由な人もクリーニングされたきれいなシャツをすぐに着ることができる。また、ボタン付けに慣れていない幼児のボタン付けの練習にも適している。
【００１６】
また、本考案にかかるボタン簡易取付け型ボタンホール１はメインボタンホールと補助用ボタンホールとを合体させた異形十字型のボタンホールからなり、ボタンホールかがり用のかがり糸１５でこの周囲を一筆書きの要領でかがっているので、見た目にも通常のボタンホールと異なる美的印象を与えてそのシャツの付加価値を高める。
【００１７】
なお、このボタンホール１０の形成位置は上述したシャツ２０の前あき２１の部分に形成されるだけでなく、図１に示すようにシャツの襟２２に形成されていても良い。このような部分は特にボタンホールにボタンを付け難いので、上述したお年寄りや幼児だけでなく、すべての人に上述した効果を与えることができる。
【００１８】
また、かがり糸１５が異形十字型の輪郭をなすようにかがってあるので、通常のボタンホールに比べて指で触れた時にそのボタンホール１０の位置を把握しやすくなる。そのため、例えば暗がりなどでボタン２５をボタンホール１０に通すときに通しやすくなる。
【００１９】
また、図２に示すようにシャツ２０の袖口２３に本考案に係るボタン簡易取付け型ボタンホール１を形成しても良い。特にシャツ２０の袖口２３は生地の厚さが厚いことが多く、糊付けされるとボタン２５をボタンホール１０に通し難くなる傾向があるが、本考案にかかるボタン簡易取付け型ボタンホール１によると、ボタン挿入の際にメインボタンホール１１が開くのを補助用ボタンホール１２が助けるので、ボタン２５が付け易くなる。また、利き手側の袖口のボタン２５を止める際には、利き手側と反対側の手でボタン２５を付けなければならなく、ボタン付けがやり難いが、本考案にかかるボタン簡易取付け型ボタンホール１によると、このような場合のボタン付けも簡単に行なうことができる。
【００２０】
なお、上述した前あき２１の部分に形成されたボタンホール１０は必ずしも等間隔でなく、不等間隔で形成されていても良い。また、前あき２１に形成された全てのボタンホールに本考案にかかるボタン簡易取付け型ボタンホール１の構造を適用する必要はなく、一部のボタンホールに本考案にかかるボタン簡易取付け型ボタンホール１の構造を適用しても良い。
【００２１】
また、本実施形態の場合、補助用ボタンホールはメインボタンホールに対して直交する方向に形成されていたが、必ずしもこれに限定されず、メインボタンホールに対して適当な角度をもって交差するように形成されていても良い。
【００２２】
また、本実施形態の場合、補助用ボタンホールはメインボタンホールの両側に切欠き状に形成されていたが、必ずしもこの形態に限定されず、メインボタンホールの片側にのみ切欠き状に形成されていても良い。
【００２３】
また、本実施形態の場合、補助用ボタンホールはメインボタンホールの長手方向ほぼ中央部分に１ヶ所だけ形成されていたが、必ずしもこれに限定されず、補助用ボタンホールがメインボタンホールの長手方向に適当な間隔をもって複数個形成されていても良い。
【００２４】
また、上述の実施形態では、補助用ボタンホールの長さをボタンの厚みの２倍程度としたが、必ずしもこれには限定されず、本考案の作用を発揮できるのに適した長さであれば良い。
【００２５】
また、上述の実施形態はシャツに備わったボタンホールについて説明したが、必ずしもこれには限定されず、例えばズボンやジャケットなどのボタンホールにも適応可能であることは言うまでもない。
【００２６】
上述のボタン簡易取付け型ボタンホールの構造は、お年寄りや手先の不自由な人、幼児等がボタンを付けるのに適しているが、その適用範囲は必ずしもこれらの人が着る衣服に限定されるものではないことは言うまでもない。
【図面の簡単な説明】
【００２７】
【図１】本考案にかかるボタン簡易取付け型ボタンホールの構造の一実施形態を示した図である。
【図２】図１に示した実施形態の他の適用例を示した図である。
【符号の説明】
【００２８】
１    ボタン簡易取付け型ボタンホール
１０    ボタンホール
１１    メインボタンホール
１２    補助用ボタンホール
１５    かがり糸
２０    シャツ
２１    前あき
２２    襟
２３    袖口
２５    ボタン
【図１】
0003103824.tif 000003
【図２】
0003103824.tif 000004